(57)【要約】      （修正有）【課題】最も大事である安全で楽に担ぎ作業が出来、併せて、スムーズに折りたたみが出来る折りたたみ式担ぎ台を提供する。【解決手段】折りたたみ式担ぎ台１は、前脚７と後脚９と腰掛台２をそれぞれ左右対称の一対の支点１０、４、６、１１で連結させて、荷台１４は前脚背側に設けた支点軸１５に連結させてそれぞれに折りたたみが出来るようにし、更に、ストッパーパイプ１２が前側溝に位置している時に支点１３を軸に前側に少し傾いた状態にし、荷台を持ち上げるとストッパーパイプは自動的に前側に倒れて、折りたたみがスムーズに出来るようにする。又、後脚底部に設けた左右対称で一対の支点に連結させたストッパーパイプ上部を、荷台下部に設けた左右対称の前側溝と、後部にストッパーパイプを止める突起物があり前側溝よりも溝深さが浅い後側溝のいずれかに入れて荷台を固定させても、ストッパーパイプが溝から外れる恐れがない。【選択図】図１
0003212006.tif 000002
【実用新案登録請求の範囲】
【請求項１】
前脚と後脚と腰掛台はそれぞれ左右対称の一対の支点で連結させ、荷台は前脚上部背側に設けた支点軸に連結させ、ストッパーパイプは後脚底部に設けた支点で連結させて、それぞれに折りたたみが出来るようにし、荷台下部に左右対称で一対の前側溝及び後部にストッパーパイプを止める突起物があり前側溝よりも溝深さが浅い後側溝とを設け、そのいずれの溝にもストッパーパイプ上部を位置させて荷台を固定出来るようにしたことを特徴とする折りたたみ式担ぎ台
【請求項２】
荷台はストッパーパイプが前側溝に位置した際には前側に傾いているようにし、後側溝に位置した際には水平になるようにし、又、前側溝にストッパーパイプが位置している際には、ストッパーパイプが支点を軸に前側に傾いているようにしたことを特徴とする請求項１の折りたたみ式担ぎ台。
【請求項３】
腰掛台の高さより、荷台の高さを１２〜２０ｃｍ高くしてあることを特徴とする請求項１の折りたたみ式担ぎ台。
【考案の詳細な説明】
【技術分野】
【０００１】  この考案は、農作業などで背負型散布機などを背中に担いで立ち上がる際に用いる折りたたみ式担ぎ台の形状に関する。
【背景技術】
【０００２】  農作業などで散布機を背中に担いで立ち上がることは大変なことで平地からでは担いで立ち上がることが困難なために、従来までは軽トラの荷台や補助具などを台代わりにして担いでいる。軽トラ利用の場合は軽トラ荷台に散布機を置くと、入り口部の高さが高くなり地面からでは肥料などを散布機の中に入れることが出来ず、その為に軽トラに上がらなければならず、この上り下りが特に高齢者には大変な作業になっているために、この作業を回避する担ぎ方法として、担ぐ補助具の折りたたみ式担ぎ台が提案されているが、この担ぎ台は荷台を支えるストッパーパイプの金具からの外れ易さと、荷台の後側への傾斜などによって担ぎ作業中に後側への転倒が発生しやすく、又  折りたたみがスムーズに出来ないなどの欠点が生じていた。
【考案の開示】
【考案が解決しようとする課題】
【０００３】  しかしながら以上の技術によれば、いずれも散布機に肥料などを入れ背中に担いで立ち上がるのに大変難儀をしている状態である。そこでこの考案は、軽トラを使わないで担げて、折りたたみが出来、持ち運びや収納が便利な現有の折りたたみ式担ぎ台の欠点を解消し、最も大事なことである安全で楽に担ぎ作業が出来、更にスムーズに折りたたみが出来る折りたたみ式担ぎ台を提供することを課題とする。
【課題を解決するための手段】
【０００４】  以上の課題を解決するために、本考案の折りたたみ式担ぎ台の第一考案は、前脚と後脚と腰掛台はそれぞれ左右対称の一対の支点で連結させ、荷台は前脚上部背側に設けた支点軸に連結させて、ストッパーパイプは後脚底部に設けた左右対称の一対の支点に連結させて、それぞれに折りたたみが出来るようにし、荷台は荷台下部に左右対称で一対の前側溝及び後部にストッパーパイプを止める突起物があり前側溝よりも溝深さが浅い後側溝を設けて、その溝にストッパーパイプ上部を位置させ荷台を固定させる。又、第二考案は、荷台下部に設けた前後の溝のうち、前側溝にストッパーパイプが位置した際に、荷台が支点軸を起点に前側に少し傾いた状態になるようにし、更に、ストッパーパイプが支点を軸に前側に少し傾いた状態になるようにし、又、ストッパーパイプが後溝に位置した際に荷台は水平になるようにする。又、第三考案は、人体の背丈からして腰掛台の高さより荷台の高さを１２〜２０ｃｍ高くして、担ぐ際に背中の位置に散布機を合せて担ぎ易く立ち上がり易くする。
【考案の効果】
【０００５】  第一考案によれば、前脚と後脚と腰掛台及び荷台はそれぞれ折りたたむことが出来るので持ち運びや収納がし易く、しかも、荷台を固定する際にストッパーパイプが外れる恐れが無いのでそれが原因で作業者が後側に転倒する危険がなくなる。第二考案によれば、ストッパーパイプがいずれの溝位置でも荷台は後側への傾斜が無いので担ぐ際に後側に転倒する恐れがなくなる。更にストッパーパイプが前側溝に位置している際に、支点軸を起点に荷台を上側に上げるとストッパーパイプは自動的に前側に倒れて、折りたたみが素早く簡単に出来るようになる。第三考案によれば、荷台の高さは腰掛台より１２〜２０ｃｍ高く設定してあるので従来品の１０ｃｍ位に比べ、背中の位置に散布機がマッチするので、担ぎ易く立ち上がりが楽に出来るようになる。
【考案を実施するための最良の形態】
【０００６】  この考案の実施形態を図面に基づき説明する。
図１は本考案の実施形態を表した斜視図で、金属製パイプ材の前脚７は背側部８と支点軸１５とが一体構成になっており、金属製パイプ材で左右対称の後脚９は支点１０により前脚７に連結されている。腰掛台２は左右対称に手置き部３と金具５を左右対称の支点４で有し、支点６で前脚７と支点１１で後脚９と連結されている。荷台１４は支点軸１５により前脚７の背側部８に連結され、後脚９の支点１３に連結されているストッパーパイプ１２の上部が固定金具１６の溝部１７に位置している図である。図２は本考案の実施形態を表した側面図で、前脚７の背側にある支点軸１５に連結し下部に固定金具１６を一体で有している荷台１４は、溝部１７と、それよりも溝深さが浅い溝部１８とそれに連なる下側向きの突起物１９を有し、後脚９の支点１３に連結されているストッパーパイプ１２の上部が溝部１７に入った状態になっており、この時に荷台１４は支点軸１５を起点に前側に傾斜Ａを、ストッパーパイプ１２は支点１３を起点に前側に傾斜Ｂを有するように、又  溝部１８にストッパーパイプ１２が位置した時には荷台１４が水平になるように設定されている。又荷台１４は腰掛台２の高さよりもＨの１２〜２０ｃｍ高く設定してある図である。図３は本考案の折りたたみ式担ぎ台を折りたたんだ時の側面図であり、前脚７と後脚９と腰掛台２は支点６、１０、４、１１によりそれぞれ折りたたむことが出来、荷台１４は後脚９の支点１３に連結されているストッパーパイプ１２を溝部１７から外すことにより、支点軸１５を起点にして折りたたむことが出来る。図４は本考案の折りたたみ式担ぎ台を使い、作業者が散布機を担いだ時の側面図であり、腰掛台２に作業者２０が腰掛け、荷台１４に置いた散布機２１を背中に担いだ図である。
【実施形態の効果】
【０００７】この実施形態によれば、本折りたたみ式担ぎ台は図２の如く、荷台１４を固定する際にストッパーパイプ１２が外れる恐れが無く、又  いずれの溝位置でも荷台は後側への傾斜が無いので作業者２０が散布機２１を担ぐ際に後側に転倒する危険がなくなった。更に前脚７と後脚９と腰掛台２及び荷台１４は図３に示すように折りたたむことが出来るので持ち運びや収納し易く、又  ストッパーパイプ１２が前側溝部１７に位置している際、支点軸１５を起点に荷台１４を上側に上げるとストッパーパイプ１２は自動的に前側に倒れて、折りたたみが素早く簡単に出来るようになった。又  荷台１４の高さは腰掛台２より１２〜２０ｃｍ高く設定したので従来品の１０ｃｍ位に比べ、人体の背丈からして背中の位置に散布機がマッチするので、格段に担ぎ易く、立ち上がりが楽に出来るようになった。
【図面の簡単な説明】
【０００８】
【図１】本考案の実施形態を表した斜視図である。
【図２】本考案の実施形態を表した側面図である。
【図３】本考案の折りたたみ式担ぎ台を折りたたんだ時の側面図である。
【図４】本考案の折りたたみ式担ぎ台を使い、作業者が散布機を担いだ時の側面図である。
【符号の説明】
【０００９】  １  折りたたみ式担ぎ台    ２  腰掛台      ３  手置き部      ４  支点
５  金具      ６  支点    ７  前脚        ８  背側部        ９  後脚
１０  支点    １１  支点        １２  ストッパーパイプ      １３  支点
１４  荷台    １５  支点軸      １６  固定金具      １７  溝部
１８  溝部    １９  突起物      ２０  作業者        ２１  散布機
Ａ  傾斜      Ｂ  傾斜          Ｈ  高さの差
【図１】
0003212006.tif 000003
【図２】
0003212006.tif 000004
【図３】
0003212006.tif 000005
【図４】
0003212006.tif 000006